(57)【特許請求の範囲】
【請求項１】
天井部材に装着された機器本体または前記機器本体の周囲の天井部材に対して水平に固着される固定枠と、
前記固定枠及び機器附設体の前辺部及び後辺部の左右各側と、前記固定枠及び前記機器附設体の左辺部及び右辺部の前後各側に設置されており、レール本体の基端部を水平軸によって前記固定枠に連結する一方、前記レール本体に嵌挿したスライドアームの先端部を水平ピンによって前記機器附設体に連結してあり、前記水平軸を中心として前記レール本体が前記固定枠に対して回転する一方、前記水平ピンを中心として前記スライドアームが前記機器附設体に対して回転し、前記スライドアームが前記レール本体の長さ方向に出入りすることによって、前記機器附設体を前記固定枠に対して垂直方向に平行移動するようにした、８個のキャッチ金具と、
前記キャッチ金具の前記レール本体に相対回転可能に装着される一方、前記固定枠の前後左右の各辺部に相対変位可能に装着され、前記機器附設体を前記固定枠または前記機器本体に対して引き付ける方向に弾性力を作用させる、同一長さのＶ字状バネ部材とからなり、
前記前辺部左側のキャッチ金具、前記後辺部左側のキャッチ金具、前記前辺部右側のキャッチ金具及び前記後辺部右側のキャッチ金具の前記各水平軸と前記各水平ピンは、前記固定枠及び前記機器附設体の前後方向の軸線と平行に配置されており、
前記左辺部前側のキャッチ金具、前記右辺部前側のキャッチ金具、前記左辺部後側のキャッチ金具及び前記右辺部後側のキャッチ金具の前記各水平軸と前記各水平ピンは、前記固定枠及び前記機器附設体の左右方向の軸線と平行に配置されている、天井部における機器附設体の開閉装置。
【請求項２】
前記前辺部左側のキャッチ金具と前記後辺部左側のキャッチ金具は互いに対向配置されて一組のキャッチ金具を構成し、
前記前辺部右側のキャッチ金具と前記後辺部右側のキャッチ金具は互いに対向配置されて一組のキャッチ金具を構成し、
前記左辺部前側のキャッチ金具と前記右辺部前側のキャッチ金具は互いに対向配置されて一組のキャッチ金具を構成し、
前記左辺部後側のキャッチ金具と前記右辺部後側用キャッチ金具は互いに対向配置されて一組のキャッチ金具を構成しており、
前記４個のキャッチ金具の組のうちから任意に選択された特定の一組のキャッチ金具を除く他の組のキャッチ金具については、前記機器附設体が開放位置に下降したとき、前記水平ピンと前記機器附設体との連結が解除される一方、
前記特定された一組のキャッチ金具については、前記機器附設体が開放位置に下降したとき、前記水平ピンと前記機器附設体との連結が解除されず、前記水平ピンを中心として前記機器附設体が下向きに回転させられるようにした請求項１に記載の機器附設体の開閉装置。
【請求項３】
前記機器附設体が開放位置において前記水平ピンを中心に下向き回転
した後、前記水平ピンと前記機器附設体との連結を解除するようにしたことを特徴とする請求項２に記載の機器附設体の開閉装置。
【請求項４】
前記キャッチ金具には、前記レール本体より一定長さ伸出した位置にて前記スライドアームを停止させる機構を設けてあり、前記レール本体の外側面部には前記Ｖ字状バネ部材が相対回転可能に係合支持されるバネ掛け部を設けてあり、前記機器附設体に固着される受金板には前記水平ピンが係脱するピン受溝を形成してあり、前記受金板に水平な枢軸ピンで取り付けたストッパーレバーは、前記ピン受溝に係合した前記水平ピンの側面に当接する方向にレバー用バネ部材によって回転付勢されており、
前記Ｖ字状バネ部材は、前記キャッチ金具の前記バネ掛け部に相対回転可能に嵌められるコイル部と、前記コイル部に連続して形成されて前記コイル部の両側にＶ字状に立ち上がり、前記固定枠に設けたバネガイドのスロットに相対変位可能に挿通される２本の直線部とからなるトーションバネによって構成されており、前記Ｖ字状バネ部材の前記２本の直線部は前記機器附設体が閉鎖位置に上昇しているとき相互の開き角度が最も大きく、前記機器附設体が開放位置に下降しているとき相互の開き角度が最も小さくなるように設定されていることを特徴とする請求項１、請求項２または請求項３に記載の機器附設体の開閉装置。
【請求項５】
前記キャッチ金具の前記受金板に透孔を設け、前記ストパーレバーが前記水平ピンの側面から離脱した位置に来たとき、前記受金板の前記透孔に整列する透孔を前記ストッパーレバーに設け、前記二つの透孔にピンなどの阻止部材を挿通して前記ストッパーレバーを待機位置に拘束するようにしたことを特徴とする請求項４に記載の機器
附設体の開閉装置。
【発明の詳細な説明】
【０００１】
【発明の属する技術分野】
本発明は、建物や部屋の天井部に設置された機器の附設体、例えば照明装置の照明カバーや空調装置の吹出口カバーを、平常時は機器本体に対して引付け保持し、機器の点検整備や消耗品の交換等に際しては作業に支障とならないように下方に開き回転させる、天井部における機器附設体の開閉装置に関するものである。
【０００２】
【従来の技術】
特開平１１-９６８２７号公報に開示された照明カバーの開閉装置では、機器本体または機器本体の周囲の天井部材に対して固定枠を水平に固着し、該固定枠に対して照明カバーを垂直方向に移動可能に配置し、固定枠の長手方向の前後二つの辺部に照明カバー用支持プレートの垂直板部を固着し、該支持プレートの水平板部に水平板部の突き出し方向に長いバネ受けスロットを形成し、中央部でＶ字状に二つ折りされた照明カバー支持用バネ部材を、中央折返し部において照明カバーの長手方向の前後二つの辺部に取付け、このトーションバネを構成するＶ字状バネ部材の２本の直線部を前記支持プレートの前記スロットに挿通している。
Ｖ字状バネ部材の２本の直線部は照明カバーが最上昇位置にあるとき相互の開き角度が最も大きく、照明カバーが最下降位置に来たとき相互の開き角度が最も小さくなるように設定されている。
【０００３】
このように構成された照明カバーの開閉装置では、照明カバーは平常時はＶ字状バネ部材によって固定枠の前記支持プレートの水平板部に引き付けられており、照明器具の蛍光管の収容空間は照明カバーによって密に閉鎖されている。蛍光管を交換するときには、Ｖ字状バネ部材の弾性力に抗して照明カバーを手で引き下げ、照明カバーを固定枠と平行に下降させる。最下降した開放位置に来たとき、Ｖ字状バネ部材の前記直線部の先端部に環曲形成してあるストッパー部が前記スロットの縁面部に当接する。
これによって照明カバーと固定枠の間には一定高さの作業用空間が形成され、この作業用空間の側方から手を差し入れて蛍光管の交換作業がなされる。
作業終了後、照明カバーを手で押し上げて上昇させ、Ｖ字状バネ部材の弾性力によって閉鎖位置に引付け保持させる。
【０００４】
このＶ字状バネ部材を利用した照明カバーの開閉装置は、構造がシンプルであるため製作組立のコストが安くて一般に広く使用されているものであるが、照明カバーを上昇させて元の閉鎖位置に戻すとき、照明カバーを垂直方向に運動規制する手段が容易されていないため、照明カバーが水平面に対して傾いたり、水平面内において前後左右に偏移したりして、照明カバーの位置が不安であり、照明カバーと固定枠との位置合わせがスムーズに行なえないという問題がある。
【０００５】
また、照明カバーの引き下げに当たって、照明カバーを過度に引き下げ過ぎると、前記環曲形成したストッパー部が縮径方向に変形して支持プレートの前記スロットを抜け出ることがあり、これによって照明カバーが脱落して予期しない事故を招くことがあった。
【０００６】
さらにまた、Ｖ字状バネ部材の２本の直線部が閉じることによって得られる照明カバーの下降ストロークには一定の限界があるため、単なる蛍光管の交換ではなくて照明器具本体の点検修理等を行なうときには、前記作用用空間では狭くて作業がし難いという問題もあった。
【０００７】
他方、特開２０００-１０６０２５号公報に開示されている照明カバーの開閉装置では、固定枠に対して直角に交差する複数本の棒状ガイドを用意し、該ガイドをガイド受けによって固定枠に移動可能に支持させ、照明カバーの左右端部に固定した連結金具にに対して前記ガイドの下端部を固定の枢軸ピンまたは引き抜き可能ピンによって水平状態に連結している。
【０００８】
この照明カバーの開閉装置では、前記ガイドの存在によって照明カバーは常に水平状態を保って固定枠に対して垂直方向に移動するため、照明カバーを閉鎖位置に押上げ復帰させるときにおける照明カバーの傾きや前後左右方向へのぶれの問題は発生せず、照明カバーと固定枠との位置合わせの問題はない。
【０００９】
また、照明カバーの連結金具に対するガイドの取付け手段としては、左右一側において固定の枢軸ピンを使用したときには、他側では引き抜き可能ピンを使用しているから、当該引き抜き可能ピンを抜き取ることによって、照明カバーを当該固定の枢軸ピンを中心として下向き回転させることができる。
これによって比較的広い作業用空間が確保されるため、蛍光管の交換は勿論として、照明器具本体の点検修理等も比較的容易に行なえる。
【００１０】
しかしながら、この照明カバーの開閉装置では、照明カバーの回転中心となる枢軸ピンは特定のガイドまたは連結金具に固定されているため、照明カバーを開放操作する作業位置が左右一方の側に限定されることになる。
また、枢軸ピンはガイドや連結金具から抜き取れるように構成されていないので、照明カバーを下向き回転できても、照明カバーをガイドから分離して取り外すことはできず、照明器具の下面側を前後左右の各方向において全面開放することはできない。
【００１１】
【発明が解決しようとする課題】
したがって本発明の目的は、同一長さのＶ字状バネ部材を使用しても、作業用空間の高さを安定性良くより高く設定することができる、天井部における機器附設体の開閉装置を提供することである。
本発明の別の目的は、Ｖ字状バネ部材による引付け保持機能を活用しながら、周辺における器物の存在や作業姿勢等を考慮して、機器附設体を前後左右のいずれの方向からでも安定性良く大きく開放することができる、天井部における機器附設体の開閉装置を提供することである。
本発明の他の目的は、必要に応じて機器附設体を完全に取り外すことができ、これによって格段に広い作業空間を確保することができる、天井部における機器附設体の開閉装置を提供することである。
【００１２】
【課題を解決するための手段】
以下、添付図面中の参照符号を用いて説明すると、請求項１の発明の天井部における機器附設体の開閉装置は、天井部材に装着された機器本体または前記機器本体の周囲の天井部材に対して水平に固着される固定枠１と、
前記固定枠１及び機器附設体７の前辺部１c，７c及び後辺部１d，７dの左右各側と、前記固定枠１及び前記機器附設体７の左辺部１a，７a及び右辺部１b，７bの前後各側に設置されており、レール本体３の基端部を水平軸４によって前記固定枠１に連結する一方、前記レール本体３に嵌挿したスライドアーム５の先端部を水平ピン６によって前記機器附設体７に連結してあり、前記水平軸４を中心として前記レール本体３が前記固定枠１に対して回転する一方、前記水平ピン６を中心として前記スライドアーム５が前記機器附設体７に対して回転し、前記スライドアーム５が前記レール本体３の長さ方向に出入りすることによって、前記機器附設体７を前記固定枠１に対して垂直方向に平行移動するようにした、８個のキャッチ金具２と、
前記キャッチ金具２の前記レール本体３に相対回転可能に装着される一方、前記固定枠１の前後左右の各辺部に相対変位可能に装着され、前記機器附設体７を前記固定枠１または前記機器本体に対して引き付ける方向に弾性力を作用させる、同一長さのＶ字状バネ部材８とからなり、
前記前辺部左側のキャッチ金具２、前記後辺部左側のキャッチ金具２、前記前辺部右側のキャッチ金具２及び前記後辺部右側のキャッチ金具２の前記各水平軸４と前記各水平ピン６は、前記固定枠１及び前記機器附設体７の前後方向の軸線と平行に配置されており、
前記左辺部前側のキャッチ金具２、前記右辺部前側のキャッチ金具２、前記左辺部後側のキャッチ金具２及び前記右辺部後側のキャッチ金具２の前記各水平軸４と前記各水平ピン６は、前記固定枠１及び前記機器附設体７の左右方向の軸線と平行に配置されている。
【００１３】
請求項２の発明の機器附設体の開閉装置では、請求項１の発明の前記構成に加えて、前記前辺部左側のキャッチ金具２と前記後辺部左側のキャッチ金具２は互いに対向配置されて一組のキャッチ金具を構成し、
前記前辺部右側のキャッチ金具２と前記後辺部右側のキャッチ金具２は互いに対向配置されて一組のキャッチ金具を構成し、
前記左辺部前側のキャッチ金具２と前記右辺部前側のキャッチ金具２は互いに対向配置されて一組のキャッチ金具を構成し、
前記左辺部後側のキャッチ金具２と前記右辺部後側用キャッチ金具２は互いに対向配置されて一組のキャッチ金具を構成しており、
前記４個のキャッチ金具２の組のうちから任意に選択された特定の一組のキャッチ金具２Ｈを除く他の組のキャッチ金具２については、前記機器附設体７が開放位置に下降したとき、前記水平ピン６と前記機器附設体７との連結が解除される一方、
前記特定された一組のキャッチ金具２Ｈについては、前記機器附設体７が開放位置に下降したとき、前記水平ピン６と前記機器附設体７との連結が解除されず、前記水平ピン６を中心として前記機器附設体７が下向きに回転させられる。
【００１４】
請求項３の発明の機器附設体の開閉装置では、請求項２の発明の前記構成に加えて、前記機器附設体７が開放位置において前記水平ピン６を中心に下向き回転した後、前記水平ピン６と前記機器附設体７との連結を解除するように設定する。
【００１５】
請求項４の発明の機器附設体の開閉装置では、請求項１、請求項２または請求項３の発明の前記構成に加えて、前記キャッチ金具２には、前記レール本体３より一定長さ伸出した位置にて前記スライドアーム５を停止させる機構９を設けてあり、前記レール本体３の外側面部には前記Ｖ字状バネ部材８が相対回転可能に係合支持されるバネ掛け部１０を設けてあり、前記機器附設体７に固着される受金板１１には前記水平ピン６が係脱するピン受溝１２を形成してあり、前記受金板１１に水平な枢軸ピン１３で取り付けたストッパーレバー１４は、前記ピン受溝１２に係合した前記水平ピン６の側面に当接する方向にレバー用バネ部材１５によって回転付勢されており、
前記Ｖ字状バネ部材８は、前記キャッチ金具２の前記バネ掛け部１０に相対回転可能に嵌められるコイル部８aと、前記コイル部８aに連続して形成されて前記コイル部８aの両側にＶ字状に立ち上がり、前記固定枠１に設けたバネガイド１６のスロット１７に相対変位可能に挿通される２本の直線部８b，８cとからなるトーションバネによって構成されており、前記Ｖ字状バネ部材８の前記２本の直線部８b，８cは前記機器附設体７が閉鎖位置に上昇しているとき相互の開き角度が最も大きく、前記機器附設体７が開放位置に下降しているとき相互の開き角度が最も小さくなるように設定されている。
【００１６】
請求項５の発明の機器附設体の開閉装置では、請求項４の発明の前記構成に加えて、前記キャッチ金具２の前記受金板１１に透孔１８を設け、前記ストパーレバー１４が前記水平ピン６の側面から離脱した位置に来たとき、前記受金板１１の前記透孔１８に整列する透孔１９を前記ストッパーレバー１４に設け、前記二つの透孔１８，１９にピンなどの阻止部材２０を挿通して前記ストッパーレバー１４を待機位置に拘束するように設定する。
【００１７】
【発明の作用】
請求項１の発明の開閉装置では、機器附設体７が天井面（図示していない）に最も接近した閉鎖位置にあるときには、図１及び図５に示したように機器附設体７はＶ字状バネ部材８の弾性力によって固定枠１または機器本体（図示していない）に引付けられている。
機器附設体７に手を掛けて機器附設体７を下側に引くと、水平軸４を中心としてレール本体３が固定枠１に対して回転し、水平ピン６を中心としてスライドアーム５が機器附設体７に対して回転し、スライドアーム５がレール本体３の長さ方向に伸出することによって、機器附設体７が固定枠１から離れて下向きに平行移動する。スライドアーム５が伸出限界に到達したとき機器附設体７の下降は停止し、固定枠１と機器附設体７との間には一定高さの作業用空間が形成される。
【００１８】
Ｖ字状バネ部材が機器附設体に直接に取付けている従来装置とは異なり、本発明装置では、Ｖ字状バネ部材８はキャッチ金具２のレール本体３に装着され、機器附設体７はレール本体３に伸出可能に嵌めたスライドアーム５に装着しているため、同じ長さのＶ字状バネ部材８を使用した条件下で比較して、前記作業用空間の高さは大幅に高くなる。そのため、蛍光管の交換や作業用空間の外周部付近の点検修理であれば、機器附設体７を下向き回転させずに、そのまま所要の作業に入ることができる。
【００１９】
請求項２の発明の開閉装置では、更に広い作業用空間を確保するために、特定の一組のキャッチ金具２Ｈの水平ピン６をヒンジピンとして働かせて、機器附設体７を下降位置より下向きに回転させる。
その場合には、周辺にある器物の存在位置や作業姿勢などを考慮して、機器附設体７の前後方向の軸線と平行な回転軸または左右方向の軸線と平行な回転軸のどちらを中心として下向き回転させるのが最適であるかを事前に判断する。
例えば、左右方向の軸線と平行な回転軸を中心として回転させるのが最適であるときには、機器附設体７の左辺部７ａ，右辺部７ｂに連結されているキャッチ金具２、すなわち、
前記左辺部前側のキャッチ金具２及び前記右辺部前側のキャッチ金具２の組と、前記左辺部後側のキャッチ金具２及び前記右辺部後側のキャッチ金具２の組のどちらか一方を、特定された一組のキャッチ金具２Ｈとする。
【００２０】
図示したように機器附設体７の左辺部７ａと右辺部７ｂに連結されている二組のキャッチ金具のうち、後側にある方の組、すなわち、前記左辺部後側のキャッチ金具２及び前記右辺部後側のキャッチ金具２の組を、特定された一組のキャッチ金具２Ｈとして選択したときには、図４に示したように機器附設体７の前辺部７ｃと後辺部７ｄに連結されている二組のキャッチ金具２、すなわち、前記前辺部左側のキャッチ金具２及び前記後辺部左側のキャッチ金具２の組と、前記前辺部右側のキャッチ金具２及び前記後辺部右側のキャッチ金具２の組を、機器附設体７から最初に全部外す。その次に、機器附設体７の下面に手を当てて機器附設体７を下支えした状態で、図７に示したように機器附設体７の左辺部７ａと右辺部７ｂに連結されている二組のキャッチ金具のうち、前側にある方の組、すなわち、前記左辺部前側のキャッチ金具２及び前記右辺部前側のキャッチ金具２の組を機器附設体７から外す。
【００２１】
そうすると、機器附設体７の左右両側の辺部７ａ，７ｂの後側に連結されているキャッチ金具２Ｈはヒンジとして機能し、機器附設体７はキャッチ金具２Ｈの水平ピン６を中心として自重によって下向き回転する。この下向き回転は、機器附設体７が一段階下降した後になされるから、機器附設体７が前後左右方向に密接または密集して設置されている適用例においても、隣接する機器附設体同士が干渉することがない。
機器附設体７が下向き回転して、図７に示したように垂直状に吊り持ちされることによって、固定枠１の下面側は全面開放され、より広い作業空間が確保される。
【００２２】
請求項３の発明の開閉装置では、請求項２の発明の開閉装置において機器附設体７が下向き回転させられた後、ヒンジとして機能した特定の一組のキャッチ金具２Ｈより水平ピン６が抜き取られ、機器附設体７がキャッチ金具２Ｈから取り外される。そのため、固定枠１の下面側に形成される作業用空間には、前後左右の全方向において障害物がなくなり、格段に広い作業用空間が創出される。
【００２３】
請求項４の発明の開閉装置では、スライドアーム５がレール本体３より一定長さ伸出したとき、スライドアーム５の停止機構９が作動するため、スライドアーム５がレール本体３から抜脱したり、Ｖ字状バネ部材８が固定枠１のバネガイド１６から抜脱することがない。
機器附設体７が固定枠１に対して垂直方向に平行移動するとき、Ｖ字状バネ部材８はコイル部８ａが掛けられたレール本体３のバネ掛け部１０を中心としてレール本体３に対して相対回転し、また、２本の直線部８ｂ，８ｃがバネガイド１６のスロット１７の内壁面に摺接することによって、Ｖ字状バネ部材８は固定枠体１に対して長さ方向に相対変位する。
【００２４】
機器附設体７が固定枠１に対して水平に下降移動しているときには、キャッチ金具２，２Ｈの水平ピン６はいずれも機器附設体７の受金板１１のピン受溝１２に係合している。水平ピン６の側面部にはストッパーレバー１４の先端部１４ａが当接しており、レバー付勢用バネ部材１５によって水平ピン６とストッパーレバー１４の係合状態が維持されているため、各キャッチ金具２，２Ｈと機器附設体７は連結状態に拘束される。
【００２５】
請求項１の発明をベースとする請求項４の発明の開閉装置では、ストッパーレバー１４は何等操作されずに、蛍光管の交換作業などが行なわれる。
請求項２の発明をベースとする請求項４の発明の開閉装置では、機器附設体７が所定の開放位置まで下降した後、ストッパーレバー１４はバネ部材１５の付勢に抗して水平軸１３を中心に解除位置まで回され、受金板１１に対する水平ピン６の拘束が解除される。その後、指で押すなどして水平ピン６が受金板１１のピン受溝１２から脱出させられる。そのため、機器附設体７はヒンジとして機能するキャッチ金具２Ｈの水平ピン６を中心として自重によって図７と図１４に示したように下向き回転する。
【００２６】
請求項３の発明をベースとする請求項４の発明の開閉装置では、前記した機器附設体７の下向き回転の後、ヒンジとして働いたキャッチ金具２Ｈのストッパーレバー１４が上記と同様に解除位置に回され、その水平ピン６が受金板１１のピン受溝１２から抜かれる。これによって機器附設体７は図１５に示したようにキャッチ金具２Ｈから取り外される。
【００２７】
請求項５の発明の開閉装置では、ストパーレバー１４が水平ピン６の側面部から離脱した位置に来たとき、受金板１１の透孔１８とストッパーレバー１４の透孔１９が整列するため、これら透孔１８，１９にピンなどの阻止部材２０を挿通することによって、ストッパーレバー１４を図１３と図１５に示したように退避位置に拘束する。
【００２８】
【発明の実施の形態】
図示の実施例では、固定枠１の平面視形状は矩形であり、キャッチ金具の取付用ブラケット２１が左右両側の辺部１ａ，１ｂに２個、前後両側の辺部１ｃ，１ｄに２個設けてある。図８と図９に示したように取付用ブラケット２１としてはアングル材が使用され、その垂直板部２１ａがビス２２によって前記各辺部に締付け固着されている。レール本体３の基端部には、水平軸４によってアーム板２３を枢着してあり、アーム板２３の水平折曲げ板部２３ｂはビス２４によって取付用ブラケット２１の水平板部２１ｂに締付け固着されている。
【００２９】
バネガイド１６は固定枠１の左辺部１ａ，右辺部１ｂに２個、固定枠１の前辺部１ｃ，後辺部１ｄに２個設けてある。図８と図９に示したようにバネガイド１６の垂直板部１６
ａはビス２５によって前記各辺部に締付け固着されている。バネガイド１６の水平板部１６ｂには、各辺部の長さ方向に長いスロット１７が形成されている。機器附設体７が最も上昇した位置にあるときには、スロット１７には、Ｖ字状バネ部材８の２本の直線部８ｂ，８ｃの根元部分とコイル部８ａの半分が入り込んでいる。
【００３０】
機器附設体７の平面視形状は矩形であり、受金板１１は左辺部７ａ，右辺部７ｂに２個、前辺部７ｃ，後辺部７ｄに２個設けてある。図１０と図１１に示したように受金板１１は下端部をビス２６によって前記各辺部に締付け固着されている。辺部より突出した受金板１１の上部には、湾曲状のピン受溝１２が形成されており、ピン受溝１２の入り口部１２ａは受金板１１の上辺部に開口しており、水平ピン６が係合するピン受溝１２の最奥部１２ｂは、最低面部１２ｃよりも少し上方に偏倚した位置にある。
【００３１】
そのため、ストッパーレバー１４の先端部で水平ピン６を押え付けていなくても、図１２に示したように水平ピン６はピン受溝１２の最奥部１２ｂに自動的に誘導されて係合し、機器附設体７の重さによってその係合位置に保持される。
水平ピン６を受溝１２から外すときには、機器附設体７を少し押上げるようにして支えながら、指で水平ピン６の拡大頭部を押して水平ピン６を最低面部１２ｃへと押し動かし、最後に前記入り口部１２ａより脱出させる。
【００３２】
ストッパーレバー１４の枢軸ピン１３は、ピン受溝１２の最奥部１２ｂよりも斜め上方に偏倚した位置にあり、レバー付勢用バネ部材１５としては、トーションバネが使用されており、コイル部１５ａに連続した一方の直線部１５ｂが受金板１１に形成した受孔２７に引掛けられ、他方の直線部１６ｃがストッパーレバー１４に形成した受孔２８に引掛けられている。
【００３３】
前記バネ部材８の２本の直線部８ｂ，８ｃの先端部にはストッパー部８ｄ，８ｅがコ字状に曲げ形成されており、ストッパー部８ｄまたは８ｅは機器附設体７が最下降位置に来たとき、バネガイド１６の水平板部１６ｂの上面に当接して、直線部８ｂ，８ｃがスロット１７から抜脱するのを阻止する。
キャッチ金具２，２Ｈのバネ掛け部１０は上下両端部をコ字状に曲げた棒材で構成され、レール本体３に溶接されている。
スライドアーム５の停止機構９は、スライドアーム５に固着された横断ピン９ａと、レール本体３の内側面部にビス２９で固着された固定ブロック９ｂとで構成されている。
【００３４】
受金板１１に透孔１８とストパーレバー１４の透孔１９は、ストッパーレバー１４の枢軸ピン１３を中心とする同一円弧上に設けられており、阻止部材２０としてはピンが使用されている。
固定枠１と機器附設体７の平面視形状は矩形に限定されず、正方形や八角形、円形、楕円形等といった様々な形状をとることができる。また、固定枠体１または機器本体と機器附設体との接触面に緩衝性のあるパッキング部材を挿入することによって、光の漏洩や塵埃の侵入をより効果的に阻止することもできる。
本発明の機器附設体は照明器具の照明カバーに限定されず、空調装置の吹出口カバー等にも適用することができる。
【００３５】
固定枠１の前後左右の各辺部及び機器附設体７の前後左右の各辺部にそれぞれ水平軸４と水平ピン６によって枢着されるキャッチ金具２の個数は、連結対象である機器附設体７の平面寸法の大きさによって適宜に増減される。複数組のキャッチ金具のどれか一組がヒンジとして機能するように選択されるので、ヒンジとして選択される蓋然性の高い位置にあるキャッチ金具、すなわち前後方向の両端部において相対向する組のキャッチ金具と、左右方向の両端部の位置において相対向する組のキャッチ金具については、機器附設体７の下向き回転が可能となるように、それぞれ水平軸４同士および水平ピン６同士が同一直線上に整列している必要がある。
【００３６】
【発明の効果】
請求項１の発明では、キャッチ金具のレール本体を水平軸によって固定枠の前辺部、後辺部、左辺部及び右辺部に連結し、Ｖ字状バネ部材をレール本体３に相対回転可能に装着する一方、固定枠の前後左右の各辺部に相対変位可能に装着し、キャッチ金具のスライドアームに機器附設体を水平ピンによって連結してあり、機器附設体が固定枠に対して垂直方向に平行移動するとき、前記水平軸を中心としてレール本体が固定枠に対して回転し、前記水平ピンを中心としてスライドアームが機器附設体に対して回転し、スライドアームがレール本体の長さ方向に出入りするものであるから、Ｖ字状バネ部材を機器附設体に直接装着する場合と比較して、固定枠と機器附設体の間に形成される作業用空間の高さを高く設定することができ、機器本体の蛍光管等の部品の交換作業や簡単な点検修理を機器附設体を水平な降下位置に留めたままで行なうことができる。
また、機器附設体は周辺部に連結されたキャッチ金具によって固定枠に装着されているため、機器附設体はキャッチ金具の運動規制作用によって閉鎖位置、開放位置および開閉途中のいずれにおいても、その姿勢は安定しており、固定枠と機器附設体の位置合わせに気を遣うことなく、機器附設体を容易に開閉操作することができる。
【００３７】
請求項２の発明の開閉装置では請求項１の発明の前記効果に加えて、次の効果がある。すなわち、前記キャッチ金具として、前記水平軸と水平ピンが固定枠及び機器附設体の前後方向の軸線と平行に配置された左右二つの組と、前記水平軸と水平ピンが固定枠及び機器附設体の左右方向の軸線と平行に配置された前後二つの組が存在し、任意に選択された特定の一組のキャッチ金具を除くキャッチ金具については、機器附設体が開放位置に下降したとき、前記水平ピンと機器附設体との連結を解除する一方、前記特定された一組のキャッチ金具については、機器附設体が開放位置に下降したとき、前記水平ピンと機器附設体との連結を解除することなく、該水平ピンを中心として機器附設体を下向きに回転させるようにしたので、固定枠の下面側が３方向にわたって開放され、より広い作業用空間を創出することができる。
また、この機器附設体の下向き回転は、固定枠の前後左右のどちらの方向からでも実行することができるから、周辺における器物の存在や作業姿勢等を考慮して機器附設体を最適のサイドから開放して、所要の作業を迅速かつ的確に遂行することができる。
【００３８】
請求項３の発明の開閉装置では、請求項２の発明の前記効果に加えて、機器附設体を開放位置において水平ピンを中心に下向き回転させた後、当該水平ピンと機器附設体との連結を解除することによって、機器附設体を全てのキャッチ金具から取り外すようにしたので、前後左右のいずれの方向にも障害物が存在しない、全方向に開放された作業用空間を創出することができる。
【００３９】
請求項４の発明の開閉装置では、請求項１ないし請求項３の発明の前記効果に加えて、キャッチ金具の水平ピンを機器附設体の受金板のピン受溝に係合した状態に拘束できるストッパーレバーを受金板に枢着してあるため、キャッチ金具と機器附設体との連結及びその解除の操作が簡単かつ的確に行なえる。
また、Ｖ字状バネ部材のコイル部をレール本体に設けたバネ掛け部に係合させる一方、Ｖ字状バネ部材の２本の直線部を固定枠のバネガイドのスロットに挿通したので、Ｖ字状バネ部材のキャッチ金具に対する相対回転動作と固定枠に対する相対変位動作が無理なく円滑になされ、Ｖ字状バネ部材の２本の直線部は機器附設体の上下方向位置に応じて相互の開き角度が的確に増減し、これによって機器附設体を固定枠に確実に引付け保持し、照明器具に適用したときには光漏れを防ぐことができ、また塵埃の侵入を的確に防止することもできる。
【００４０】
請求項５の発明では、請求項４の発明の前記効果に加えて、ストパーレバーが水平ピンの側面部から離脱した位置に来たとき受金板の透孔とストッパーレバーの透孔にピンなどの阻止部材を挿通することによって、ストッパーレバーを退避位置に拘束するようにしたので、機器附設体に各キャッチ金具を再度連結するときの作業が、ストッパーレバーに邪魔されずに円滑に行なえる。
【図面の簡単な説明】
【図１】  本発明の一実施例に係る開閉装置の概略的な分解斜視図である。
【図２】  図１の開閉装置をより具体的に示した正面図であり、機器附設体は閉鎖位置に上昇している。
【図３】  図１の開閉装置をより具体的に示した正面図であり、機器附設体は開放位置に下降している。
【図４】  図１の開閉装置をより具体的に示した正面図であり、特定の一組のキャッチ金具以外のキャッチ金具は機器附設体との連結を解除されている。
【図５】  図１の開閉装置をより具体的に示した左側面図であり、機器附設体は閉鎖位置に上昇している。
【図６】  図１の開閉装置をより具体的に示した左側面図であり、機器附設体は開放位置に下降している。
【図７】  図１の開閉装置をより具体的に示した左側面図であり、機器附設体は下向き回転させられている。
【図８】  図２の開閉装置の左端部分の拡大図である。
【図９】  図８のＡ−Ａ線矢視図である。
【図１０】  図５の開閉装置の左端部分の拡大図である。
【図１１】  図１０のＢ−Ｂ線矢視図である。
【図１２】  図３の開閉装置におけるキャッチ金具と機器附設体の連結状態を示す拡大図である。
【図１３】  図３の開閉装置におけるキャッチ金具と機器附設体との連結の解除過程を示す拡大図である。
【図１４】  図７の開閉装置におけるキャッチ金具と機器附設体との連結状態を示す拡大図である。
【図１５】  図７の開閉装置におけるキャッチ金具と機器附設体との連結の解除過程を示す拡大図である。
【図１６】  図１の開閉装置に使用されるキャッチ金具の一部切欠き正面図である。
【図１７】  図１６のキャッチ金具の平面図である。
【図１８】  図１６のキャッチ金具の左側面図である。
【図１９】  図１の開閉装置に使用される別のキャッチ金具の一部切欠き正面図である。
【図２０】  図１９のキャッチ金具の平面図である。
【図２１】  図１９のキャッチ金具の左側面図である。
【符号の説明】
１  固定枠
２  キャッチ金具
３  レール本体
４  水平軸
５  スライドアーム
６  水平ピン
７  機器附設体
８  Ｖ字状バネ部材
９  停止機構
１０  バネ掛け部
１１  受金板
１２  ピン受溝
１３  枢軸ピン
１４  ストッパーレバー
１５  レバー用バネ部材
１６  バネガイド
１７  スロット
１８  透孔
１９  透孔
２０  阻止部材
【図１】
0003714895.tif 000002
【図２】
0003714895.tif 000003
【図３】
0003714895.tif 000004
【図４】
0003714895.tif 000005
【図５】
0003714895.tif 000006
【図６】
0003714895.tif 000007
【図７】
0003714895.tif 000008
【図８】
0003714895.tif 000009
【図９】
0003714895.tif 000010
【図１０】
0003714895.tif 000011
【図１１】
0003714895.tif 000012
【図１２】
0003714895.tif 000013
【図１３】
0003714895.tif 000014
【図１４】
0003714895.tif 000015
【図１５】
0003714895.tif 000016
【図１６】
0003714895.tif 000017
【図１７】
0003714895.tif 000018
【図１８】
0003714895.tif 000019
【図１９】
0003714895.tif 000020
【図２０】
0003714895.tif 000021
【図２１】
0003714895.tif 000022